【事件の表示】
　平成１年特許願第２９５４３６号「画像形成装置」拒絶査定に対する審判事件［平成３年７月３日出願公開、特開平　３−１５５５８６］について、次のとおり審決する。
【結　論】
　本件審判の請求は、成り立たない。
【理　由】
１．［手続の経緯・本願発明の内容］
　本願は、平成１年１１月１４日の出願であって、その発明は、平成１０年１２月２１日、平成１１年９月１３日付手続補正書により補正された内容を含む明細書及び図面の記載からみて、特許請求の範囲の請求項１乃至６に記載された次のとおりのものと認める。
　なお、請求項２乃至６については記載を省略する。
（1）　シートに画像を形成する画像形成手段と、前記シートに多重転写を行なうべく再び前記画像形成手段へ導く搬送路と、原稿を載置する原稿載置手段と、原稿を走査して読み取るための走査光学系を有し、前記原稿載置手段から送られた原稿を読み取る読取手段と、読み取られた前記原稿を表裏反転させて再び前記読取手段へ導く反転手段と、前記画像形成手段へタイミングを図ってシートを送る搬送手段と、を有し、両面原稿の像をシートの同一面の異なった領域に前記画像形成手段によって画像を形成するために、画像形成済のシートを前記搬送路によって送り、搬送されたシートに再度前記画像形成手段によって画像を形成する画像形成装置において、
　前記走査光学系が原稿の先端に達したことを検知する検知手段を備え、該検知手段の検知に基づき前記走査光学系が走査を開始してから原稿の先端を検知するまでの第1の時間t3を設定し、前記シートの搬送方向先端側の第1の領域に前記原稿の第1面の画像を形成する場合は、前記走査光学系が読取動作を開始してから前記検知手段の検知に基づく前記第1の時間ｔ３から、さらに所定の第２の時間ｔ１経過後に前記搬送手段によるシートの搬送を開始して該第1の領域に前記画像形成手段により画像を形成し、シートの搬送方向後端側の第２の領域に前記原稿の第1面と逆の第2面の画像を形成する場合は、前記搬送手段によるシートの搬送開始から所定の第３の時間ｔ２経過後に前記走査光学系による読取動作を開始し、さらに前記検出手段の検知に基づく前記第1の時間ｔ３から更に前記第２の時間ｔ１が経過して前記第1の領域が通過した後、該第2の領域に前記画像形成手段により画像を形成するように、前記読取手段、前記画像形成手段及び前記搬送手段を制御する制御手段を備えたこと、
を特徴とする画像形成装置。
　
２．［査定の理由・引用例］
　本願は、原審において特開平１−２７７８４５号公報（以下、引用例１という。）、特開昭６２−１３７６２２号公報（以下、引用例２という。）を提示し、本願の請求項（1）、（3）〜（6）に係る発明は、これらの引用例に基づいて当業者が容易に発明をすることができたものと認められるから、特許法第２９条第２項の規定により特許を受けることができない、との拒絶理由の通知を行うも、これに対して何らの応答がないことから、拒絶査定されたものである。
　
（1）　特開平１−２７７８４５号公報（引用例１）
ａ．第２頁左上欄第７行〜第１３行
「この発明は、自動原稿送り装置を使用して、1枚の用紙の両面に複数の原稿画像を並べて形成することができないという課題を解決するものであり、その目的とするところは、自動原稿送り装置を使用して、１枚の用紙の両面に複数の原稿を並べて形成することが可能な画像形成装置を提供しようとするものである。」
　
ｂ．第２頁左上欄第１６行〜右上欄第１３行
「この発明は、原稿を原稿台に送る原稿送り手段と、この原稿台に送られた原稿の画像を被転写材に転写する転写手段と、この画像が転写された被転写材を前記転写手段に搬送する搬送手段と、前記原稿送り手段によって原稿台に送られた第１の原稿の画像を前記転写手段によって被転写材の第１の面の第１の範囲に転写し、前記原稿送り手段によって原稿台に送られた第２の原稿を転写手段により、前記搬送手段によって搬送される前記被転写材の第１の面の第１の範囲に隣接する第２の範囲に形成し、・・・制御手段とから構成されている。」
　
ｃ．第２頁左下欄第１３行〜第４頁左上欄第５行、第１図
「以下、この発明の一実施例について図面を参照して説明する。
　第１図はこの発明に係わる画像形成装置、例えば電子複写機を概略的に示すものである。
　複写機本体１には現像を支持する原稿台（透明ガラス）２が固定されている。この原稿台２に載置された原稿は、露光ランプ４、ミラー５、６、７からなる光学系が原稿台２の下面に沿って移動することにより、露光走査されるようになっている。・・・。
　一方、用紙（被転写材）Ｐは、選択された上段給紙カセット１３１、下段給紙カセット１３２、大容量給紙カセット１３３、あるいは前記上段給紙カセット１３１に設けられた手差し給紙部１３ａから、送出ローラ１４１、１４２、１４３、１４４およびローラ対１５１、１５２、１５３によって１枚ずつ取出され、用紙案内路１６１、１６２、１６３を通ってレジストローラ対１７へ案内され、このレジストローラ対１７によって転写部へ供給されるようになっている。・・・。
　一方、複写機本体１の下方には、多重両面複写ユニット２７が設けられている。この多重両面複写ユニット２７は、一枚の用紙に両面複写したり、一枚の用紙の同一面に多重複写を行うことを可能とするものであり、前記大容量給紙カセット１３３は、この多重両面複写ユニット２７に設けられている。
　この多重両面複写ユニット２７には、・・・用紙を集積部２７ａへ導く搬送路２７ｂが設けられ、この搬送路２７ｂには、所定間隔離間して複数の搬送ローラ対２７ｃ、２７ｄ、２７ｅ、２７ｆが設けられている。また、前記集積部２７ａには、集積部２７ａに収容された用紙を取出す取出しローラ２７ｇが設けられている。・・・。用紙を搬送ローラ対２７ｊ、搬送路２７ｋを介して前記レジストローラ対１７へ案内するようになされる。
　一方、前記複写機本体１の上部には、自動原稿送り装置２８が設けられている。この自動原稿送り装置２８は、原稿がセットされる原稿給紙台２８１，この原稿給紙台２８１にセットされた原稿を一枚ずつ取出すとともに、原稿を裏返す反転部が設けられた給紙部２８２、この取出された原稿を前記原稿台２に搬送する原稿台カバーとしての搬送部２８３、この搬送部２８３に設けられ、複写が終了された原稿が排紙される原稿排紙トレイ２８４によって構成されている。・・・。
　また、搬送路２８３には、前記給紙部２８２から供給される原稿を原稿台２のセット位置に搬送するベルト２８ｉが設けられている。・・・。
　このベルト２８ｉは、原稿の複写が終了した場合、原稿を前記原稿排紙トレイ２８４に排出するとともに、両面原稿の場合、原稿の一方面の複写が終了した状態において、原稿を前記給紙部２８２の反転部に搬送し、この反転部によって反転された原稿を再び原稿台２のセット位置に搬送する動作を行うようになっている。」
　
ｄ．第５頁左上欄第１行〜第１９行
「「多重両面」に対応する操作キー３０４を操作すると、原稿の倍のサイズの用紙を使用する多重両面複写モードが設定される（ステップＳＴ６）。この多重両面複写モードにおいては、表示器３００の表示状態が第６図から第７図に示す状態に切換えられる（ステップＳＴ７）。この表示器３００には、操作キー３０１〜３０４にそれぞれ対応して、・・・、１枚の両面原稿の画像を１枚の用紙の一方面に並べて複写する複写動作（以下、１枚多重複写動作と称す）、・・・を示す表示が行われると共に、操作キー３０８に対応して「取消し」が表示されている。」
　
ｅ．第６頁左下欄第１６行〜右下欄第２行
「第１０図は原稿の露光タイミングを示すものである。同図（ａ）は１回目（および３回目）の露光走査タイミング、同図（ｂ）は２回目（および４回目）の露光走査タイミングを示している。ここで、２回目（４回目）の画像形成は、用紙の右半分に対して行われるため、用紙の搬送に対応して原稿の露光走査タイミングが遅らされている。」
　
ｆ．第７頁左下欄第１５行〜第８頁右上欄第６行
「第７図に示す表示状態において、「１枚多重複写動作」に対応する操作キー３０３が操作された場合の動作について説明する。・・・。複写キー３０ａが操作されたものと判別されると、自動原稿送り装置２８が動作されて、原稿給紙台２８１にセットされた原稿の１枚が取込まれ、原稿台２のセット位置に搬送される（ステップＳＴ３３）。この状態において、複写動作が１回目か否かが判別される（ステップＳＴ３４）。この場合１回目であるため、第１の消去データが設定される（ステップＳＴ３５）。
　この状態において、前述した１枚目の複写と同様の動作によって用紙に原稿画像が形成される（ステップＳＴ３６）。複写動作が終了すると１回目の複写か否かが判別される（ステップＳＴ３７）。この場合１回目であるため、複写された用紙が多重両面ユニット２７に集積部２７ａに収容され（ステップＳＴ３８）、この後、原稿台にセットされている原稿が裏返しにされる（ステップＳＴ３９）。即ち、自動原稿送り装置２８のベルト２８ｉが駆動され、原稿台２にセットされている原稿が給紙部２８２内に設けられた反転部に導かれる。この反転部の反転搬送路２８ｅを通過することにより原稿が反転され、この反転された原稿はベルト２８ｉによって再び原稿台２のセット位置に搬送される。
　このようにして原稿がセットされると、何回目の複写か判別される（ステップＳＴ３４、ステップＳＴ４０）。・・・、この後、前述した２回目の複写動作と同様の動作によって、裏側の現像画像が複写される。この複写動作が終了すると、複写回数が判別される（ステップＳＴ３７、ステップＳＴ４２）。この場合２回目であるため、ステップＳＴ４３においてフラグが判別される。この場合、「１枚多重フラグ」がセットされているため、全ての複写動作が終了されたものと判別され、ステップＳＴ４４において、フラグがリセットされてステップＳＴ１に移行される。また、複写された用紙はトレイ２４に排紙される。」
　
（2）　特開昭６２−１３７６２２号公報（引用例２）
ｇ．第２５頁右下欄第２０行〜第２６頁左上欄第１１行、第３８図
「次にコピー動作について説明する。コピーキーが押されると、メインモー夕、高圧、原稿照明ランプがオンする。又、後述の給紙動作、現像器加圧動作に入る。ドラム１回転後光学系が前進し画先検知からｔ１後にレジストローラをオンする。その後紙サイズに応じた時間でオフする。その後光学系が反転の位置にくると、光学系は後進に移る。原稿照明ランプは0.2秒後オフする。光学系がホームポジションに戻って来ると光学系を停止させ後回転に入る。転写紙が機外へ排出された後停止する。カラーコピーならば後述の現像器加圧動作が行われる。」
　
３．［本願の請求項１に係る発明と引用例１記載のものとの対比・判断］
　ここでは、本願の請求項１に係る発明を本願発明という。
（1）　用語の整理
　本願発明の「シート」は、引用例１に記載される「用紙（被転写材）Ｐ」に、同じく「搬送路」は「搬送路２７ｂを含む集積部２７ａ」に、「原稿載置手段」は「自動原稿送り装置２８」に、「読取手段」は「露光ランプ４、ミラー５、６、７からなる光学系」に、「反転手段」は「原稿を裏返す反転部が設けられた給紙部２８２」に、「シートを送る搬送手段」は「レジストローラ対１７、搬送に係わる各搬送ローラ対、搬送路及び集積部」に、「両面原稿の像をシートの同一面の異なった領域に前記画像形成手段によって画像を形成する」は「１枚の両面原稿の画像を１枚の用紙の一方面に並べて複写する複写動作」に対応し、これらの点は、単なる表現上の相違でしかない。
　
　次ぎに、本願発明のシートの搬送方向の「先端側の第１の領域」及び「後端側の第２の領域」は、夫々『シートの搬送される方向からみて先端側に位置する画像を形成し得るシートの一方の半面領域』と、これに対して『シートの搬送される方向からみて後端側に位置する画像を形成し得るシートの他方の半面領域』を表わしている。
　一方、引用例１に記載される「左半分の位置」及び「右半分の位置」は、「シート」である「用紙（被転写材）」の左半分と、これに対して「用紙（被転写材）」の右半分を表している。
　してみると、これら本願発明におけるシートの搬送方向の「先端側の第１の領域」及び「後端側の第２の領域」と、引用例１に記載される「左半分の位置」及び「右半分の位置」は、夫々が対応するものであって、両者における違いは、単なる表現上の違いでしかない。
　
（2）　両者の一致点
　シートに画像を形成する画像形成手段と、前記シートに多重転写を行なうべく再び前記画像形成手段へ導く搬送路と、原稿を載置する原稿載置手段と、原稿を走査して読み取るための走査光学系を有し、前記原稿載置手段から送られた原稿を読み取る読取手段と、読み取られた前記原稿を表裏反転させて再び前記読取手段へ導く反転手段と、前記画像形成手段へタイミングを図ってシートを送る搬送手段とを有し、両面原稿の像をシートの同一面の異なった領域に前記画像形成手段によって画像を形成するために、画像形成済のシートを前記搬送路によって送り、搬送されたシートに再度前記画像形成手段によって画像を形成する画像形成装置であり、
　両面原稿の表面側と裏面側の像を夫々同一面のシート上であって、その搬送方向の先端側の領域、後端側の領域に並べて形成する際に、前記両面原稿の夫々の画像が形成されるシート上の位置がシートの先端側、後端側と異なるために、両面原稿の表面側及び裏面側の像に対する走査光学系の露光タイミング、シートを駆動する搬送手段の駆動タイミングを制御する構成を備えた画像形成装置。
　
（3）　両者の相違点
　シートの搬送方向の先端側の領域、後端側の領域に両面原稿の表裏の２つの像を順次形成し得るように制御するに際して、
本願発明では、
走査光学系が原稿の先端に達したことを検知する検知手段を備え、該検知手段の検知に基づき前記走査光学系が走査を開始してから原稿の先端を検知するまでの第1の時間ｔ３を設定し、前記シートの搬送方向先端側の第1の領域に前記原稿の第1面の画像を形成する場合は、前記走査光学系が読取動作を開始してから前記検知手段の検知に基づく前記第1の時間ｔ３から、さらに所定の第２の時間ｔ１経過後に前記搬送手段によるシートの搬送を開始して該第1の領域に前記画像形成手段により画像を形成し、シートの搬送方向後端側の第２の領域に前記原稿の第１面と逆の第２面の画像を形成する場合は、前記搬送手段によるシートの搬送開始から所定の第３の時間ｔ２経過後に前記走査光学系による読取動作を開始し、さらに前記検出手段の検知に基づく前記第１の時間ｔ３から更に前記第２の時間ｔ１が経過して前記第１の領域が通過した後、該第２の領域に前記画像形成手段により画像を形成するように、前記読取手段、前記画像形成手段及び前記搬送手段を制御する制御手段を備える、
とし、
引用例１記載のものでは、
原稿の表面側の像に対する露光走査タイミングと裏面側の像に対する露光走査タイミングとは、表面側の像はシートの搬送方向の先端側の第１の領域に、裏面側の像はシートの搬送方向の後端側の第２の領域に夫々画像を形成するために、表面側の画像形成時と裏面側の画像形成時とにおいて、後者の場合は前者に比べて、シートの搬送に対応して原稿の露光走査タイミングが遅らされる如き制御を行う、
と記載されており、
両者間の対応関係が直ちに把握できない点。
　
（4）　相違点についての判断
　プラテン上の原稿を走査光学系により走査し、感光体ドラム上に潜像を形成し、これをトナーにより現像し、このトナー像を転写用紙に転写する構成の周知の画像形成装置において、走査光学系の露光と搬送手段の駆動とのタイミングをとり、原稿の像をシートの搬送方向の所定領域に正確に位置決めするに際して、走査光学系の移動による原稿先端の検出時点を基準として、この検出時点から所定時間経過後に、シートを感光体ドラムの転写位置に移動するように搬送手段をオン状態に制御することは、一例として提示された引用例２に示されているように本出願前周知の事項である。
　引用例１の記載を参照するに、表面側の像をシートの搬送方向の先端側の第１の領域に、裏面側の像をシートの搬送方向の後端側の第２の領域に夫々画像として形成するために、後者の画像形成の場合のシート搬送に対する原稿の露光走査タイミングは前者の画像形成の場合に比べて遅らされるように制御することにより、表裏各面の原稿の像を同一シート上の先端側の領域と後端側の領域に形成させること、
が開示されている。
　この引用例１の記載において、表面側の像をシートの搬送方向の先端側の第１の領域、裏面側の像をシートの搬送方向の後端側の第２の領域に夫々画像として形成するに際して、先ず、原稿の表面側の像をシートの搬送方向の先端側の第１の領域に形成する場合とは、前述した周知手段である引用例２記載のように、走査光学系の移動による原稿先端の検出時点から所定時間経過後に、シートを感光体ドラムの転写位置に移動するように搬送手段をオン状態とし、感光体ドラム上のトナー像をシートの先端側の第１の領域に形成することを意味することは一義的に理解できる。
　また、この引用例１の記載において、原稿の裏面側の像をシートの搬送方向の後端側の第２の領域に形成すべく動作させる場合に、前記シートの搬送方向の先端側の第１の領域に形成する場合と同じタイミングを用いると、原稿の裏面側の像がシートの先端側の領域に形成された原稿の表面側の画像位置に重なって形成されることとなるため、この領域を通過させるべくシートの長さの半分に対応する搬送時間だけ露光走査タイミングをずらす必要があることは自明であり、シートの後端側の第２の領域に画像を形成する場合には、「後者の場合は前者に比べて、シートの搬送に対応して原稿の露光走査タイミングが遅らされる如き制御を行う」（第６頁左下欄第１６行〜右下欄第２行）と記載されている。
　この引用例１の記載の意味するところは、搬送手段のタイミングの観点からみて、搬送手段のオンによるシートの先端位置への移動と、走査光学系の走査とのタイミングを合わせたことによる、先端側の第１の領域への画像形成と、搬送手段のオンによるシートの中央位置の移動と、走査光学系の走査のタイミングを合わせることによる、後端側の第２の領域への画像形成とは、前者の搬送手段のオン時点に比べて、後者のオン時点をシートの長さの半分に対応する搬送時間だけ早める必要があることを示唆している。
　
　本願発明の実施例の一つである第１４図のタイムチャート（平成１０年１２月２１日付けで補正され、タイムチャート左側のレジストローラにおける経過時間に関してｔ３及びｔ１が追加記載されている。）に着目すると、左側は原稿の表面側の像をシートの搬送方向の先端側の第１の領域に、右側は原稿の裏面側の像をシートの搬送方向の後端側の第２の領域に夫々画像を形成する場合を示し、左側のタイムチャートは、従来同様に、走査光学系の移動による原稿先端の検出時点から所定時間経過後に、シートを感光体ドラムの転写位置に移動するように搬送手段をオン状態とすることで、原稿の表面側の像をシートの先端側の第１の領域に形成し、そして、右側のタイムチャートは原稿先端の検出時点から所定時間経過後に、搬送手段がシートの中央位置（この位置は、左側のタイムチャートの原稿先端の検出時点から所定時間経過後に、搬送手段をオン状態として駆動されるシートの先端の位置に相当する）を搬送するように、シートの先端側の第１の領域（シートの半分の長さ）の通過に要する時間を予め設定し、この設定時間の経過時点を原稿先端の検出時点とに一致させることで、原稿の裏面側の像をシートの後端側の第２の領域に形成することを示している。
　又、本願発明の他の実施例として記載された第１７図のタイムチャート（平成１０年１２月２１日付けで補正され、タイムチャート右側のレジストローラにおける経過時間に関してｔ３及びｔ１が追加記載されている。）は、左側は原稿の表面側の像をシートの搬送方向の後端側の第２の領域に、右側は原稿の裏面側の像をシートの搬送方向の先端側の第１の領域に夫々画像を形成する場合を示し、シートの搬送方向の後端側の第２の領域に画像を形成する左側のタイムチャートでは、第１４図の右側のタイムチャートと同様であり、原稿の表面側の像はシートの後端側の第２の領域に形成されることを示している。
　このように、本願発明のいずれの実施例においても、搬送手段をオン状態とするタイミングは、シートの搬送方向の先端側の第１の領域に画像を形成する場合に比べて、同じく後端側の第２の領域に画像を形成する場合には先端側の第１の領域を通過するのに要する時間だけずらす技術が開示されており、原稿の表裏の像を、シートの搬送方向の先端側の第１の領域、後端側の第２の領域に順次並べて画像として形成し得るものである。
　ここで、これらの検討を踏まえて、本願発明と、引用例１に記載されるものを再度対比すると、引用例１に記載されるものは、本願発明である第１４図に示される実施例に対応するものであることが把握できる。
　したがって、本願発明は、第１４図及び第１７図の実施例を包含する記載を行っていることから、引用例１記載の表現とは相違点に指摘したように異なるものである。
　しかしながら、その相違は、周知手段（走査光学系の移動による原稿先端の検出時点を基準として、搬送手段とタイミングをとり、シート上の所定位置に画像を形成すること、引用例２）を考慮し、且つ、引用例１に示された、先端側の領域に形成される画像と後端側の領域に形成される画像の位置の違いに基づく制御に基づき当業者が容易に想到し得る程度のものである。
　また、当該相違により、平成１１年９月１３日手続補正により加入されるところの本願発明における「前記原稿の表面及び裏面の画像を１枚のシートの左右を異にして複写できることによって、和式綴じ又は洋式綴じの何れの製本にも対応できる」作用効果等も、当業者であれば容易に推察し得る程度のものであって、格別なものとはいえない。
　
４．［むすび］
　以上のとおりであるから、本願の請求項１に係る発明は、引用例１、引用例２の記載に基づいて当業者が容易に発明をすることができたものと認められるから、特許法第２９条第２項の規定により特許を受けることができない。
  よって、結論の通り審決する。